(57)【要約】【課題】一般的に好まれる色の濃さを維持しつつ、レジスタの設定値を最小とその１つ手前の間で移行させてもユーザが違和感を覚えないこと、および色の薄い画質を好むユーザの嗜好に対応すること、を実現した映像表示装置およびテレビジョンを提供する。【解決手段】設定値４以上の設定値に対応付けられるレジスタ値を設定値の上昇に略比例して上昇させ、設定値４よりも小さい設定値に対応付けられるレジスタ値を、ｘ ×（１６０−０） ÷ ｃ（設定値をｘ、設定値４のレジスタ値を１６０とする。）にて表される計算式により最小値の０まで漸次下降させる。そしてユーザに選択された設定値に対応するレジスタ値をレジスタ２２に設定し、ビデオデコーダ１６ｂがレジスタ２２のレジスタ値に基づいて映像信号の色飽和度を調整する。【選択図】図３
2008078747.tif 000002
【特許請求の範囲】
【請求項１】
色飽和度を階調表現して各階調に一対一に対応付けられる調整値と、該調整値の中間値以上と最小値とに対応付けられる設定値と、の対応関係を規定するルックアップテーブルを有し、
入力される映像信号に対し、設定された調整値に対応する色飽和度に基づく色補正を施し、該色補正後の映像を画面に表示するテレビジョンにおいて、
アンテナを介してテレビ放送信号を受信して映像信号を出力するチューナと、
上記チューナから入力される映像信号をデジタル信号に変換して出力するＡ／Ｄ変換部と、
上記調整値が設定されるレジスタと、
上記Ａ／Ｄ変換部から入力される映像信号に、上記レジスタに設定される調整値に基づく色補正を施すビデオデコーダと、
映像信号の画素数を画面の画素数に合致させるスケーラと、
画素の配列により構成されて各画素の駆動により画面に映像を表示するディスプレイと、
上記ルックアップテーブルが記憶される不揮発性メモリと、
上記設定値の選択入力を受け付けるリモコンと、
該リモコンにて受け付けた設定値に対応する調整値を上記レジスタに設定するマイコンと、
を備え、
上記ルックアップテーブルは、
上記設定値のうち所定値以上のものに対応付けられる調整値が、上記設定値の上昇に略比例して該調整値が上昇するように対応付けられ、
上記設定値のうち上記所定値よりも小さいものに対応付けられる調整値を、上記設定値をｘ、上記最小値をａ、上記所定値の設定値に対応する調整値をｂ、上記所定値から上記設定値の最小値までの設定値数をｃとすると、
ｘ × （ｂ−ａ） ÷ ｃ
にて表される計算式によって該設定値の下降に伴って上記調整値の最小値まで漸次下降させるように対応付けられることを特徴とするテレビジョン。
【請求項２】
階調表現された色飽和度と、該色飽和度の最小値を含む一部に対応付けられた設定値と、の対応関係を規定するルックアップテーブルを有し、
入力される映像信号に対し、設定された色飽和度に基づく色補正を施し、該色補正後の映像を画面に表示する映像表示装置において、
所定値以上の設定値に対応付けられる色飽和度を、上記ルックアップテーブルに基づいて設定する第一色飽和度設定手段と、
所定値より小さい設定値に対応付けられる色飽和度を、該設定値の下降に伴って上記色飽和度の最小値まで漸次下降する値が算出される計算式により設定する第二色飽和度設定手段と、
を備えることを特徴とする映像表示装置。
【請求項３】
上記ルックアップテーブルは、所定値以上の上記設定値に対応付けられる色飽和度が、上記設定値の上昇に略比例して上昇するように対応付けられて作成されることを特徴とする上記請求項２に記載の映像表示装置。
【請求項４】
上記計算式は、上記設定値をｘ、上記最小値をａ、上記所定値の設定値に対応する色飽和度をｂ、上記所定値から上記設定値の最小値までの設定値数をｃとすると、
ｘ × （ｂ−ａ） ÷ ｃ
で表されることを特徴とする上記請求項２または請求項３に記載の映像表示装置。
【請求項５】
上記所定値は、上記計算式における隣接する設定値から算出される色飽和度間の差分が所定量以下になるように選択されることを特徴とする上記請求項４に記載の映像表示装置。
【請求項６】
階調表現された色飽和度と、該色飽和度の最小値を含む一部に対応付けられた設定値と、の対応関係を規定するルックアップテーブルを有し、
入力される映像信号に対し、設定された色飽和度に基づく色補正を施し、該色補正後の映像を画面に表示する映像表示装置において、
上記設定値に対応付けられる色飽和度を、上記ルックアップテーブルに基づいて設定する第一色飽和度設定手段を備え、
上記ルックアップテーブルは、
所定値以上の上記設定値に対応付けられる色飽和度が、上記設定値の上昇に略比例して上昇するように対応付けられて作成され、
所定値より小さい設定値に対応付けられる色飽和度が、上記設定値をｘ、上記最小値をａ、上記所定値の設定値に対応する色飽和度をｂ、上記所定値から上記設定値の最小値までの設定値数をｃとすると、
ｘ × （ｂ−ａ） ÷ ｃ
で表される計算式の算出結果により作成されることを特徴とする映像表示装置。
【請求項７】
階調表現された色飽和度と、該色飽和度の最小値を含む一部に対応付けられた設定値と、の対応関係を規定するルックアップテーブルを有し、
入力される映像信号に対し、設定された色飽和度に基づく色補正を施し、該色補正後の映像を画面に表示する映像表示装置において、
上記ルックアップテーブルは、上記設定値のうち所定値以上のものに対応付けられる色飽和度が、上記設定値の上昇に略比例して上昇するように対応付けられて作成され、
上記所定値よりも小さい設定値に対応する色飽和度の入力を受け付けて上記ルックアップテーブルに設定する色飽和度受付手段と、
上記設定値に対応付けられる色飽和度を、上記ルックアップテーブルに基づいて設定する第一色飽和度設定手段と、
を備えることを特徴とする映像表示装置。
【請求項８】
上記所定値は、出荷時設定値以下であることを特徴とする上記請求項２〜請求項７のいずれかに記載の映像表示装置。
【請求項９】
上記設定値に対応付けられる色飽和度は、機種もしくは仕向地によりオフセットされて設定されることを特徴とする上記請求項２〜請求項８に記載の映像表示装置。
【請求項１０】
上記ルックアップテーブルにおいて、上記所定値以上の設定値に対応付けられる色飽和度は、該色飽和度の最大値と最小値の中間値以上に偏在することを特徴とする上記請求項２〜請求項９のいずれかに記載の映像表示装置。
【発明の詳細な説明】
【技術分野】
【０００１】
本発明は、テレビジョンおよび映像表示装置に関し、特に、色飽和度の調整が可能なテレビジョンおよび映像表示装置に関する。
【背景技術】
【０００２】
映像源により映像の色や明るさが異なるため、テレビ等の映像表示装置では、各ユーザの嗜好にあわせた表示が可能となるように、画質（色の濃さ、輝度、明るさ等）の各種色補正をユーザ自ら行うことが可能である。また、昨今のデジタル化により、これらの各種色補正はデジタルで行われるようになってきている。そして、デジタルで色補正を行う場合、色補正の調整量はレジスタに設定値として設定されることが一般である、
【０００３】
例えば、テレビでは、各色補正の調整値を設定するために８ビットのレジスタが使用されており、２５６階調での調整が可能（可変範囲）である。しかしながら、昨今のテレビでは色の濃い画質が好まれる傾向があるため、色の濃さ（色飽和度）の調整値は全体的に高濃度側に偏る傾向がある。すなわち、図７のように、ユーザが調整可能に提供されるのは、０および１４２〜２００までの６８階調（設定可能範囲）のみであり、さらにこの６８階調から抽出された１４の階調のみが０〜１４の各設定値に対応付けられるため、ユーザは設定値に対応付けられた階調の選択のみが可能となる。
【０００４】
色の濃さの設定に関する技術として、色の濃さ調整を色つぶれが起さないようにデジタル信号処理する色補正回路（例えば特許文献１等。）、ＲＧＢの各信号と輝度信号との合成の割合を変化させることによりカラー画像から白黒画像まで連続して色の濃さ調整を行うカラー調整回路（例えば特許文献２等。）、ＳＭＰＴＥカラーバーパターン発生機を用いずに色回路調整を可能にする色回路調整装置（例えば特許文献３等。）、画質調整操作の手順を案内するオンスクリーン表示装置（例えば特許文献４等。）、が知られている。
【特許文献１】特開２００１−１０３５０５号公報
【特許文献２】特開平０８−１２９３６９号公報
【特許文献３】特開平０６−６８３８号公報
【特許文献４】特開平０５−１８３９４６号公報
【発明の開示】
【発明が解決しようとする課題】
【０００５】
このような場合、最小値（図７では０）では色を消す設定となっている。つまり、図８に示すように、ユーザが色の濃さを徐々に下げていくと最小値の１つ手前まではほぼ一定の割合で変化していき、最小値では０となり白黒表示となる。このような設定のされ方であっても、複数の設定値に対応付けられる調整値が複数の調整値の全域にわたって（０〜２５６階調に満遍なく）分布していればユーザが違和感を覚えることは無い。
【０００６】
ところが近年の濃い色が好まれる傾向のために、設定値の分布が全体的に高濃度側に偏るようになったために、最小値とその１つ手前との間で大きな変化が生じてしまい、ユーザが違和感を覚えることになっていた。また、２５６階調のうち低濃度側の０〜１４２はユーザによる設定が不可能になり、薄めの色を好むユーザの嗜好に対応できなくなっていた。
【０００７】
本発明は、上記課題に鑑みてなされたもので、一般的に好まれる色の濃さを維持しつつ、レジスタの設定値を最小とその１つ手前の間で移行させてもユーザが違和感を覚えないこと、および色の薄い画質を好むユーザの嗜好に対応すること、を実現する映像表示装置およびテレビジョンを提供することを目的とする。
【課題を解決するための手段】
【０００８】
上記課題を解決するために、本発明の映像表示装置では、階調表現された色飽和度と、該色飽和度の最小値を含む一部に対応付けられた設定値と、の対応関係を規定するルックアップテーブルを有し、入力される映像信号に対し、設定された色飽和度に基づく色補正を施し、該色補正後の映像を画面に表示する映像表示装置において、所定値以上の設定値に対応付けられる色飽和度を、上記ルックアップテーブルに基づいて設定する第一色飽和度設定手段と、所定値より小さい設定値に対応付けられる色飽和度を、該設定値の下降に伴って上記色飽和度の最小値まで漸次下降する値が算出される計算式により設定する第二色飽和度設定手段とを備える構成としてある。
この構成によれば、上記第一色飽和度設定手段が上記ルックアップテーブルに基づいて上記所定値以上の設定値に対応付けられる色飽和度を設定し、上記第二色飽和度設定手段が上記計算式により算出される値を上記所定値よりも小さい設定値に対応付けられる色飽和度として設定する。また、上記計算式は、該設定値の下降に伴って上記色飽和度の最小値まで漸次下降する値が算出される。
【０００９】
所定値よりも小さい設定値に対して最小値まで漸次下降する色飽和度を設定することにより、設定値の下降に伴って色飽和度もブロードかつ滑らかに変化し、自然な色消えを提供可能となる。また、ブロードに色飽和度が設定されるため、設定値が低い色飽和度に満遍なく対応付けられるため、低い色飽和度を好むユーザの嗜好にも対応可能となる。
【００１０】
また、上記ルックアップテーブルは、所定値以上の上記設定値に対応付けられる色飽和度が、上記設定値の上昇に略比例して上昇するように対応付けられて作成される構成としてもよい。この構成によれば、所定値以上の設定値に対し、所定値に対応する色飽和度以上の色飽和度が等間隔で対応付けられるため、設定値の変化に対して色飽和度の変化が一定となり、自然な色飽和度の変化を提供可能となる。
【００１１】
また、上記計算式は、上記設定値をｘ、上記最小値をａ、上記所定値の設定値に対応する色飽和度をｂ、上記所定値から上記設定値の最小値までの設定値数をｃとすると、
ｘ × （ｂ−ａ） ÷ ｃ
で表される構成としてもよい。この構成によれば、所定値よりも小さい設定値に対し、所定値に対応する色飽和度以下の色飽和度が等間隔で対応付けられるため、設定値の変化に対して色飽和度の変化が一定となり、自然な色消えが実現される。
【００１２】
また、上記所定値は、上記計算式における隣接する設定値から算出される色飽和度間の差分が所定量以下になるように選択されても構わない。この構成によれば、より自然な色消えを提供可能となる。
【００１３】
上記所定値としては、各設定値の色飽和度間の差分が所定量以下となるように選択される。上記所定量とは、設定値を変化させて映像を画面に表示させた際に違和感を覚えにくい変化量であり、例えば、所定値以上での隣接する設定値の色飽和度間の差分が４である場合は、所定値以下での隣接する設定値の色飽和度間の差分が所定値以上でのものと比べて一桁以上大きくならないように４０以下となるように設定される。
【００１４】
上記隣接する設定値とは、対応付けられた色飽和度が最も接近している設定値のことであり、一般には設定値には昇順もしくは降順に色飽和度が対応付けられることから、設定値に付される番号も隣接していることが考えやすい。上記略比例とは、近似により比例関係が導き出され、かつ隣接する設定値間に対応する色飽和度の大小が入れ替わらないことを意味する。即ち設定値Ａ，Ｂに対応する色飽和度がそれぞれａ，ｂであるとき、Ａ＞Ｂであればａ＞ｂとなる。
【００１５】
また、階調表現された色飽和度と、該色飽和度の最小値を含む一部に対応付けられた設定値と、の対応関係を規定するルックアップテーブルを有し、入力される映像信号に対し、設定された色飽和度に基づく色補正を施し、該色補正後の映像を画面に表示する映像表示装置において、上記設定値に対応付けられる色飽和度を、上記ルックアップテーブルに基づいて設定する第一色飽和度設定手段を備え、上記ルックアップテーブルは、所定値以上の上記設定値に対応付けられる色飽和度が、上記設定値の上昇に略比例して上昇するように対応付けられて作成され、所定値より小さい設定値に対応付けられる色飽和度が、上記設定値をｘ、上記最小値をａ、上記所定値の設定値に対応する色飽和度をｂ、上記所定値から上記設定値の最小値までの設定値数をｃとすると、
ｘ × （ｂ−ａ） ÷ ｃ
で表される計算式の算出結果により作成される構成としても構わない。
【００１６】
この構成によれば、自然な色消えとなる色飽和度が予め上記ルックアップテーブルに設定されているため、上記計算式の記憶領域と、上記算出の処理、とが不要となり、処理の向上と記憶領域の削減もしくは有効利用が見込める。
【００１７】
また、階調表現された色飽和度と、該色飽和度の最小値を含む一部に対応付けられた設定値と、の対応関係を規定するルックアップテーブルを有し、入力される映像信号に対し、設定された色飽和度に基づく色補正を施し、該色補正後の映像を画面に表示する映像表示装置において、上記ルックアップテーブルは、上記設定値のうち所定値以上のものに対応付けられる色飽和度が、上記設定値の上昇に略比例して上昇するように対応付けられて作成され、上記所定値よりも小さい設定値に対応する色飽和度の入力を受け付けて上記ルックアップテーブルに設定する色飽和度受付手段と、上記設定値に対応付けられる色飽和度を、上記ルックアップテーブルに基づいて設定する第一色飽和度設定手段と、を備える構成としても構わない。
【００１８】
この構成によれば、色飽和度受け付け手段が上記所定値よりも小さい設定値に対応する色飽和度の入力を受け付けて上記ルックアップテーブルに設定するため、所定値よりも小さい設定値に対応する色飽和度に任意のものを設定することが可能となり、利用者が自らの嗜好に合わせたルックアップテーブルを作成することが可能となる。よって、多様なユーザの嗜好に対応可能となる。
【００１９】
また、上記所定値は、出荷時設定値以下としても構わない。出荷時設定値とは映像表示装置が出荷される際に設定される設定値であり、一般に最も多くのユーザに好まれる色飽和度が設定される。この出荷時設定値よりも小さい設定値のみを漸次下降させたり、ユーザ設定可能としたりすることにより、自然な色消えを提供しつつ、低い色飽和度を好むユーザの嗜好にも対応し、かつ最も多くのユーザに好まれる色飽和度が確実に利用可能となる。
【００２０】
また、上記設定値に対応付けられる色飽和度は、機種もしくは仕向地によりオフセットされて設定されても構わない。この構成によれば、多様な機種や仕向地が存在しても、ルックアップテーブルや該ルックアップテーブルに基づく制御を行うソフトウェアを共通化することが可能となり、コストダウンに繋がる。
【００２１】
また、本発明は、上記所定値以上の設定値に対応付けられる色飽和度が、該色飽和度の最大値と最小値の中間値以上に偏在する場合に好適である。即ち、上記設定値に対応付けられる色飽和度は、該色飽和度の最大値と最小値の中間値以上に偏在し、かつ色飽和度の最小値にも対応付けられるため、色飽和度の最小値と他の色飽和度との間に大きなギャップが生ずるが、このギャップが計算式により最小値まで滑らかに変化され、自然な色消えが提供される。
【００２２】
さらに、より具体的な構成例として、色飽和度を階調表現して各階調に一対一に対応付けられる調整値と、該調整値の中間値以上と最小値とに対応付けられる設定値と、の対応関係を規定するルックアップテーブルを有し、入力される映像信号に対し、設定された調整値に対応する色飽和度に基づく色補正を施し、該色補正後の映像を画面に表示するテレビジョンにおいて、アンテナを介してテレビ放送信号を受信して映像信号を出力するチューナと、上記チューナから入力される映像信号をデジタル信号に変換して出力するＡ／Ｄ変換部と、上記調整値が設定されるレジスタと、上記Ａ／Ｄ変換部から入力される映像信号に、上記レジスタに設定される調整値に基づく色補正を施すビデオデコーダと、映像信号の画素数を画面の画素数に合致させるスケーラと、画素の配列により構成されて各画素の駆動により画面に映像を表示するディスプレイと、上記ルックアップテーブルが記憶される不揮発性メモリと、上記設定値の選択入力を受け付けるリモコンと、該リモコンにて受け付けた設定値に対応する調整値を上記レジスタに設定するマイコンと、を備え、上記ルックアップテーブルは、上記設定値のうち所定値以上のものに対応付けられる調整値が、上記設定値の上昇に略比例して該調整値が上昇するように対応付けられ、上記設定値のうち上記所定値よりも小さいものに対応付けられる調整値を、上記設定値をｘ、上記最小値をａ、上記所定値の設定値に対応する調整値をｂ、上記所定値から上記設定値の最小値までの設定値数をｃとすると、
ｘ × （ｂ−ａ） ÷ ｃ
にて表される計算式によって該設定値の下降に伴って上記調整値の最小値まで漸次下降させるように対応付けられる構成としてある。
【発明の効果】
【００２３】
以上説明したように本発明によれば、所定値よりも小さい設定値に対して最小値まで漸次下降する色飽和度を設定することにより、設定値の下降に伴って色飽和度もブロードかつ滑らかに変化し、自然な色消えをする映像表示装置を提供可能となる。また、ブロードに色飽和度が設定されるため、設定値が低い色飽和度に満遍なく対応付けられるため、低い色飽和度を好むユーザの嗜好にも対応可能な映像表示装置を提供することができる。
また請求項３にかかる発明によれば、設定値の変化に対して色飽和度の変化が一定となり、自然な色飽和度の変化を提供可能となる。
そして請求項４にかかる発明によれば、設定値の変化に対して色飽和度の変化が一定となり、自然な色消えが実現される。
さらに請求項５にかかる発明によれば、より自然な色消えを提供可能となる。
また請求項６にかかる発明によれば、処理の向上と記憶領域の削減もしくは有効利用が見込める。
そして請求項７にかかる発明によれば、所定値よりも小さい設定値にユーザの好みの設定を反映することが可能となり、多様なユーザの嗜好に対応可能となる。
また請求項８にかかる発明によれば、自然な色消えを提供しつつ、低い色飽和度を好むユーザの嗜好にも対応し、かつ最も多くのユーザに好まれる色飽和度が確実に利用可能となる。
そして請求項９にかかる発明によれば、ルックアップテーブルやソフトウェアの共通化によりコストダウンに繋がる。
また請求項１０にかかる発明によれば、自然な色消えを提供できる。
さらに請求項１のような、より具体的な構成において、上述した請求項２〜請求項５の各発明と同様の作用を奏することはいうまでもない。
【発明を実施するための最良の形態】
【００２４】
以下、下記の順序に従って本発明の実施形態を説明する。
（１）テレビジョンの概略構成：
（２）色飽和度の調整値の設定：
（３）変形例：
（４）まとめ：
【００２５】
（１）テレビジョンの概略構成： 
以下、図面を参照しつつ本発明の映像表示装置を具体化した液晶テレビジョン１００について説明する。本実施形態においては液晶テレビジョンを例にとって説明するがプラズマテレビジョンやプロジェクタ装置、液晶ディスプレイ等のデジタルで映像信号の画質を調整して画面に映像を表示する映像表示装置であればいかなるものであっても本発明を適用可能である。
【００２６】
図１は、液晶テレビジョン１００の概略構成を示したブロック図である。液晶テレビジョン１００は、概略、チューナ１０と、外部入力端子１４と、切替回路１２と、映像信号処理ＩＣ１６と、マイコン１８と、不揮発性メモリ２０と、レジスタ２２と、液晶ディスプレイ（ＬＣＤ）２４と、リモコンＩ／Ｆ２６と、リモコン２８と、を含んで構成される。また、映像信号処理ＩＣ１６は、概略、アナログ／デジタル（Ａ／Ｄ）変換部１６ａと、ビデオデコーダ（Ｖ／Ｄ）部１６ｂと、スケーラ１６ｃと、タイミングコントローラ（Ｔcont）１６ｄと、ＯＳＤ（オン・スクリーン・ディスプレイ）重畳部１６ｅと、を含んで構成される。
【００２７】
チューナ１０は、アンテナ１０ａを介してテレビ放送信号を受信する。そして、同チューナ１０は、受信したテレビ放送信号に基づいたアナログ映像信号としてのコンポジット信号が出力される。また、この液晶テレビジョン１００は、外部機器から映像信号を入力する端子として外部入力端子１４を備えている。外部入力端子１４としては、コンポジット端子やコンポーネント端子等の端子が該当する。
【００２８】
チューナ１０および外部入力端子１４は、切替回路１２に接続されており、チューナ１０と外部入力端子３６から出力されるコンポジット信号のいずれか一つの信号を選択して受付可能となっている。この選択はマイコン１８に接続されたリモコンＩ／Ｆ２６を介して入力されるリモコン信号や不図示の操作パネルによって行われる。切替回路１２によって選択されたコンポジット信号は、映像信号処理ＩＣ１６に入力される。
【００２９】
映像信号処理ＩＣ１６に入力されたコンポジット信号は、まずＡ／Ｄ変換部１６ａでアナログ信号からデジタル信号にＡ／Ｄ変換される。次に、ビデオデコーダ１６ｂがデジタル映像信号から、Ｒ、Ｇ、Ｂの３原色信号を復調する。さらに、ビデオデコ−ダ１６ｂは、映像信号と音声信号の分離を行い、分離された音声信号を図示しない音声信号処理部に出力して図示しないスピーカから音声出力させる。また、ビデオデコーダ１６ｂは、レジスタ２２を含む複数のレジスタに設定される各調整値を取得し、ＲＧＢの映像信号に、色飽和度（カラー、もしくは色の濃さ）調整、コントラスト調整、ＴＩＮＴ調整、ブライト調整、肌色補正等の色彩調整、白黒伸長調整、遅延調整、シャープネス調整、ガンマ補正、ノイズ除去、等の画質調整処理を行い、スケーラ１６ｃに出力する。スケーラ１６ｃは、連続するインターレース形式の映像信号をプログレッシブ形式の映像信号に変換し、入力されたデジタル映像信号を、ＬＣＤ２４が有する画面の画素数（横縦比、ｍ：ｎ）に合致するようにスケーリング処理を行い、ＬＣＤ２４に表示する１画面分の画像データを生成して、生成された画像データをＯＳＤ重畳部１６ｅに出力する。ＯＳＤ重畳部１６ｅは、マイコン１８から入力される制御信号や文字情報等のデ−タに基づいて各種表示に対応するＯＳＤ信号を生成して、映像信号にＯＳＤ信号を重畳してＴcont１６ｄに出力する。これにより映像信号には文字情報などのデータに基づく静止画像が重畳された画像データが生成される。無論、ＯＳＤ表示が不要なときは、このＯＳＤ重畳部はバイパスされても構わない。Ｔcont１６ｄは、入力された画像データに基づいて、画素の配列により構成されたＬＣＤ２４の各画素を駆動してＬＣＤ２４の画面に画像データに基づく映像を表示させる。
【００３０】
マイコン１８は、不図示のＲＯＭやＲＡＭを備えており、ＲＯＭに予め格納されている各種制御プログラムを読み出してＲＡＭをワークエリアとしつつ実行し、液晶テレビジョンの各回路の制御を行う。また、適宜、不揮発性メモリ２０にアクセスして必要なデータを読み出して制御に利用する。
【００３１】
レジスタ２２は、高速の記憶装置でマイコン１８の演算対象や演算結果を一時的に格納する。本実施形態においては、レジスタ２２には、色飽和度の調整値が設定される。レジスタ２２は、８ビット、２５６階調で設定可能であり、ＬＣＤに表示可能な色飽和度のダイナミックレンジ（可変範囲）を２５６分割して指定可能とされる。無論、液晶テレビジョン１００は、色飽和度以外の画質調整についてもそれぞれ調整値が設定されるレジスタを有しており、これらのレジスタに本発明を適用しても構わない。
【００３２】
不揮発性メモリ２０は、情報を書き換え可能な不揮発性のメモリであり、半導体メモリや強誘電性メモリが使用されるが、電源を切っても情報が消去されない記憶装置であればハードディスクドライブ等の磁気記憶装置が使用されても構わない。不揮発性メモリ２０には、マイコン１８がレジスタ２２に設定する際に参照するＲＧＢ各色の調整値に対応する情報が格納される。同情報としては、ＲＧＢ各色の調整値を表すものであってもよいし、色度信号のＩＱ信号の調整値を表すものであってもよいし、ＲＧＢ各色の混合比を示すものであればいかなるものであってもよい。具体的には、不揮発性メモリ２０には、０および４〜１４までの各設定値に、色飽和度を２５６階調で階調表現した階調のいずれかが対応付けられたルックアップテーブル２０ａ、および１〜３までの各設定値に、各設定値の階調値を計算するための計算式２０ｂが格納されている。
【００３３】
リモコン２８は操作を受け付ける複数のキーと、リモコン信号をリモコンＩ／Ｆに向けて送信する送信部とを有し、複数のキーの操作に応じたリモコン信号を送出する。例えば、マイコン１８がリモコンＩ／Ｆ２６を介してチャンネル選択を表すリモコン信号を受信すると、対応するチャンネルのテレビ放送信号を受信させるように周波数データをチューナ１０に送出する。また、各種設定を行うメニュー画面で、カーソル移動キーとカーソル選択キーとから構成されるカーソルキー２８ａに対応するリモコン信号を受信すると、カーソルの移動やカーソルが合わせて表示されている項目の選択入力を受け付ける。
【００３４】
（２）色飽和度の調整値の設定： 
色飽和度の調整値はマイコン１８によってレジスタ２２に設定され、ビデオデコーダ１６ｂがレジスタ２２に設定された調整値を取得して該調整値に対応する色補正を行うことにより実現される。ユーザは、各種設定を行うメニュー画面から色飽和度を調整する操作項目を選択することにより色飽和度の調整画面を表示させ、この画面で調整値を設定することにより色飽和度を調整することが出来る。
【００３５】
図２に色飽和度の調整画面の一例を示した。同図には、左右に並べて表示される１４の目盛りが表示されており、各目盛りが設定値に相当する。同図において、左に行くほど色が薄くなり、右に行くほど色が濃くなる。また目盛りの左端は０であり、色飽和度も０となって白黒表示される。同図では、左から５つ目までが選択された状態であるため、色飽和度は５である。すなわち、ユーザは０〜１４の１５の色飽和度の設定値を選択することが可能となっている。無論この設定値数は、任意であり、様々な設定値数が選択可能であることはいうまでも無い。但し、最も小さい目盛りに対応する調整値は０が採用され、この目盛りが選択されると必ず色飽和度が０の白黒表示がなされるものとする。
【００３６】
図３はルックアップテーブル２０ａと計算式２０ｂの一例を示す図、図４は図３のルックアップテーブル２０ａと計算式２０ｂにより計算されるレジスタ値（調整値）のオフセットが０の場合のグラフである。本実施形態においては、色飽和度のダイナミックレンジを２５６分割して階調表現し、各階調とレジスタ値とを一対一対応させてある。また、設定値４〜１４に対応するレジスタ値は、レジスタ値の最大値と最小値の中間値である１２７以上に偏在している。また、設定値４が所定値に相当する。
【００３７】
ルックアップテーブル２０ａでは、４〜１４の各設定値とレジスタ値の対応関係が規定されており、各レジスタ値は固定値とされている。この固定値は、基本値＋オフセット値で表わされ、オフセット値は液晶テレビジョン１００の機種毎もしくは仕向地毎に設定値４〜１４に対して同一の値が設定される。即ち本実施形態においては設定値４〜１４とこれらに対応するレジスタ値がルックアップテーブルを構成する。
【００３８】
また、設定値１〜３では、＊１〜＊３の計算式が適用される。＊１においては３×（［設定値４のレジスタ値］−［設定値０のレジスタ値］）／４、＊２においては２×（［設定値４のレジスタ値］−［設定値０のレジスタ値］）／４、＊３においては１×（［設定値４のレジスタ値］−［設定値０のレジスタ値］）／４であり、これらの式を一般化すると、計算する設定値番号×（［所定値のレジスタ値］−［設定値０のレジスタ値］）／［所定値の設定値番号］、となる。即ち＊１〜＊３の計算式、もしくはこれらの一般式が本実施形態における計算式を構成する。
【００３９】
具体的には、オフセット値を０とすると、設定値０〜１４のそれぞれに対応するレジスタ値は、０，４０，８０，１２０，１６０，１６４，１６８，１７２，１７６，１８０，１８４，１８８，１９２，１９６，２００となる。即ち、図３のルックアップテーブルと計算式により、設定値４〜１４に対応するレジスタ値は、設定値番号の上昇に略比例して上昇し、設定値０〜３に対応するレジスタ値は、設定値番号の下降に伴ってレジスタ値の下限（０）まで漸次下降する。
【００４０】
以下、図５を参照して色飽和度の調整画面で色飽和度を設定するマイコンの処理を説明する。この処理は、各種設定を行うメニュー画面から色飽和度を調整するための操作項目が選択されたときに実行される。
【００４１】
処理が開始されると、ステップＳ１０で図２のような色飽和度の調整画面を表示する。マイコン１８は、色飽和度の調整画面を表す情報と、現在の色飽和度の設定値と、を不揮発性メモリ２０より取得する。そして色飽和度の調整画面に現在の色飽和度の設定値を表示したＯＳＤ表示をさせるＯＳＤ信号をＯＳＤ重畳部１６ｅに生成させ、スケーラ１６ｃからの画像データに当該生成したＯＳＤ信号を重畳し、ＯＳＤ信号を重畳した画像データをＴcont１６ｄに対して供給する。すると、Ｔcont１６ｄにてＯＳＤ信号を重畳した画像データに基づいてＬＣＤ２４が駆動され、ＬＣＤ１４の画面に対応する映像が表示される。
【００４２】
このとき、ユーザはリモコン２８に配置された操作キーを押し下げ操作することで設定値の変更と、変更した設定値の決定とを行うことが出来る。ステップＳ１２では、いずれかの設定値を受け付けたか否かを判断する。設定値を受け付けると条件成立としてステップＳ１４に進み、受け付けていない場合は条件不成立としてステップＳ１２を繰り返す。マイコン１８は、リモコンＩ／Ｆ２６から電圧信号を入力されて対応するキー操作を検知することによりリモコン２８から操作入力を受け付ける。例えばカーソル移動キーの操作を検知した場合は、ＯＳＤ重畳部１６ｅに設定値を変更させたＯＳＤ信号を生成させて画像データに重畳させてステップＳ１２を繰り返し、カーソル選択キーの操作を検知した場合は、画面に表示中の設定値を受け付けて不揮発性メモリ２０に格納してステップＳ１４に進む。
【００４３】
ステップＳ１４では、受け付けた設定値に対応するレジスタ値が固定値であるか否かを判断する。受け付けた設定値が０もしくは４〜１４であれば条件成立としてステップＳ１６に進み、受け付けた設定値が１〜３であれば条件不成立としてステップＳ１８に進む。即ち、受け付けた設定値がルックアップテーブル２０ａで固定値のレジスタ値に対応付けられている場合は条件成立となり、受け付けた設定値が計算式によりレジスタ値を算出するものである場合は条件不成立となる。
【００４４】
ステップＳ１６では、ルックアップテーブル２０ａにアクセスして受け付けた設定値に対応するレジスタ値を取得し、取得したレジスタ値をレジスタ２２に設定して当該処理を終了する。一方、ステップＳ１８では、受け付けた設定値番号と、設定値４のレジスタ値１６０と、設定値０のレジスタ値０と、設定値４の設定値番号４と、を計算式２０ｂに代入してレジスタ値を算出し、算出したレジスタ値をレジスタ２２に設定して当該処理を終了する。そしてビデオデコーダ１６ｂがレジスタ２２にアクセスしてレジスタ値を取得し、該レジスタ値に基づく色飽和度に画質を調整してスケーラ１６ｃに出力する。
【００４５】
以上、ステップＳ１０、Ｓ１２、Ｓ１４、Ｓ１６の処理を実行するマイコン１８が第一色飽和度設定手段を構成し、ステップＳ１０、Ｓ１２、Ｓ１４、Ｓ１８の処理を実行するマイコン１８が第二色飽和度設定手段を構成する。
【００４６】
ところで、計算式によりレジスタ値が計算される設定値は、設定値１〜４に限られず、例えば設定値１〜５であっても良いし、設定値１〜３であってもよい。即ち、計算式の適用される設定値としては、設定値１から出荷ポジション（出荷時設定値）以下のいずれかの設定値までのうち、計算式における隣接する設定値から算出される色飽和度間の差分が所定量以下になるように選択される。出荷ポジションとは、出荷時に設定される設定値であり、最も標準的な色飽和度が対応付けられる設定値である。つまり、出荷ポジションより上の設定値にまで計算式を適用すると、出荷ポジションにおける色飽和度まで影響を受けることになり、最も多くのユーザの嗜好に適する色飽和度が設定できなくなるためである。
【００４７】
また、計算式も上述したものに限るものではなく、様々な式が採用可能である。採用可能な式としては、所定値となる設定値のレジスタ値から下限となるレジスタ値である０まで漸次下降する計算式であればいかなる計算式であってもよく、一次関数、二次関数、二次より高次の関数、指数関数、対数関数、やこれらの組合せ等、様々な計算式が考えられる。望ましくは、各設定値間での色飽和度の変化に対して利用者が違和感を覚えにくいレジスタ値が算出される算出式がよい。
【００４８】
（３）変形例： 
上述した実施形態において、計算式２０ｂにより算出される設定値のレジスタ値はユーザが設定する構成としても本発明の目的を達することが出来る。即ち、出荷ポジション以下のいずれかの設定値から設定値番号１までのレジスタ値をユーザ設定可能とし、各ユーザ自ら違和感を感じにくい設定を選択したり、色の薄いレジスタ値に対応付けられた設定値を作成したりすることが可能となる。
【００４９】
以下、図６を参照して、ユーザの操作入力に従って、出荷ポジション以下のいずれかの設定値から設定値番号１に対しレジスタ値を対応付けて設定するマイコン１８の処理を説明する。本変形例では、設定値１〜３に対応付けられるレジスタ値をユーザが変更して設定可能な場合について説明する。図６の処理は、各種設定を行うメニュー画面から色飽和度をユーザ設定するための操作項目が選択されたときに実行される。
処理が開始されると、ステップＳ５０でユーザが変更可能な設定値番号を、いずれかの設定値番号にあわせたカーソルとともに表示させてステップＳ５２に進む。マイコン１８は、変更可能な設定値番号の情報を不揮発性メモリ２０より取得し、設定値番号を設定値番号のいずれかにあわせたカーソルとともにＯＳＤ表示させるＯＳＤ信号をＯＳＤ重畳部１６ｅに生成させ、スケーラ１６ｃからの画像データに生成したＯＳＤ信号を重畳させる。すると、Ｔcont１６ｄにてＯＳＤ信号を重畳した画像データに基づいてＬＣＤ２４が駆動され、ＬＣＤ１４の画面に対応する映像が表示される。
【００５０】
ステップＳ５２では、いずれかの設定値を受け付けたか否かを判断する。設定値を受け付けると条件成立としてステップＳ５４に進み、受け付けていない場合は条件不成立としてステップＳ５２を繰り返す。このとき、ユーザはリモコン２８に配置された操作キーを押し下げ操作することでカーソルの移動と、カーソルが合わせて表示されている設定値番号の選択入力とを行うことが出来る。マイコン１８は、リモコンＩ／Ｆ２６から電圧信号を入力されて対応するキー操作を検知することによりリモコン２８から操作入力を受け付ける。例えばカーソル移動キーの操作を検知した場合は、ＯＳＤ重畳部１６ｅにカーソルの表示位置を移動させたＯＳＤ信号を生成させ、ＯＳＤ信号を画像データに重畳させてステップＳ５２を繰り返し、カーソル選択キーの操作を検知した場合は、カーソルが合わせて表示されている設定値番号を受け付けてステップＳ５４に進む。
【００５１】
ステップＳ５４では、ステップＳ５２で受け付けた設定値に対応付け可能なレジスタ値の一覧を、現在対応付けられているレジスタ値に合わせて表示されるカーソルとともに表示させてステップＳ５６に進む。マイコン１８は、まず現在設定値に対応付けられているレジスタ値と、対応付け可能なレジスタ値の一覧とを不揮発性メモリ２０より取得する。そしてレジスタ値の一覧と、この一覧のうち現在設定値に対応付けられているレジスタ値に合わせて表示されるカーソルとをＯＳＤ表示をさせるＯＳＤ信号をＯＳＤ重畳部１６ｅに生成させ、スケーラ１６ｃからの画像データに当該生成したＯＳＤ信号を重畳し、ＯＳＤ信号を重畳した画像データをＴcont１６ｄに対して供給する。すると、Ｔcont１６ｄにてＯＳＤ信号を重畳した画像データに基づいてＬＣＤ２４が駆動され、ＬＣＤ１４の画面に対応する映像が表示される。
【００５２】
ステップＳ５６では、いずれかのレジスタ値を受け付けたか否かを判断する。レジスタ値を受け付けると条件成立としてステップＳ５８に進み、受け付けていない場合は条件不成立としてステップＳ５６を繰り返す。このとき、ユーザはリモコン２８に配置された操作キーを押し下げ操作することでカーソルの移動と、カーソルが合わせて表示されているレジスタ値の選択入力とを行うことが出来る。マイコン１８は、リモコンＩ／Ｆ２６から電圧信号を入力されて対応するキー操作を検知することによりリモコン２８から操作入力を受け付ける。例えばカーソル移動キーの操作を検知した場合は、ＯＳＤ重畳部１６ｅにカーソルの表示位置を移動させたＯＳＤ信号を生成させ、ＯＳＤ信号を画像データに重畳させてステップＳ５６を繰り返し、カーソル選択キーの操作を検知した場合は、カーソルが合わせて表示されているレジスタ値を受け付けてステップＳ５８に進む。
【００５３】
ステップＳ５８では、ステップＳ５６で受け付けたレジスタ値を、ルックアップテーブル２０ａのステップＳ５２で受け付けた設定値番号に対応する位置に格納して、当該処理を終了する。
【００５４】
以上の処理により、ルックアップテーブル２０ａの設定値１〜３にユーザの嗜好にあわせた色飽和度が設定され、この設定値が色飽和度の調整画面で選択されると、レジスタ２２にこのレジスタ値が設定され、ユーザの嗜好に合わせた色飽和度で映像表示されることとなる。以上、ステップＳ５０〜Ｓ５８の処理を実行するマイコン１８が色飽和度受付手段を構成する。
【００５５】
（４）まとめ： 
以上より、設定値４以上の設定値に対応付けられるレジスタ値を設定値の上昇に略比例して上昇させ、設定値４よりも小さい設定値に対応付けられるレジスタ値を、ｘ ×（ ｂ−０） ÷ ｃ（設定値をｘ、設定値４のレジスタ値を１６０とする。）にて表される計算式により最小値の０まで漸次下降させる。そしてユーザに選択された設定値に対応するレジスタ値をレジスタ２２に設定し、ビデオデコーダ１６ｂがレジスタ２２のレジスタ値に基づいて映像信号の色飽和度を調整する。
【００５６】
これにより、一般的に好まれる色の濃さを維持しつつ、レジスタの設定値を最小とその１つ手前の間で移行させてもユーザが違和感を覚えないこと、および色の薄い画質を好むユーザの嗜好に対応すること、を実現した映像表示装置および液晶テレビジョンを提供することが出来る。
【００５７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５８】
【図１】液晶テレビジョンの概略構成を示したブロック図である。
【図２】色飽和度の調整画面の一例である。
【図３】ルックアップテーブルと計算式の一例を示す図である。
【図４】図３のルックアップテーブルと計算式により計算されるレジスタ値のグラフである（オフセットが０の場合）。
【図５】色飽和度の調整画面で色飽和度を設定するマイコンの処理を示すフローチャートである。
【図６】設定値にレジスタ値をユーザ設定するマイコンの処理を示すフローチャートである。
【図７】従来のルックアップテーブルを示す図である。
【図８】図７のルックアップテーブルのグラフである。
【符号の説明】
【００５９】
１００…液晶テレビジョン
１０…チューナ
１０ａ…アンテナ
１２…切替回路
１４…外部入力端子
１６…映像信号処理ＩＣ
１６ａ…アナログ／デジタル（Ａ／Ｄ）変換部
１６ｂ…ビデオデコーダ（Ｖ／Ｄ）
１６ｃ…スケーラ
１６ｄ…タイミングコントローラ（Ｔcont）
１６ｅ…ＯＳＤ重畳部
１８…マイコン
２０…不揮発性メモリ
２０ａ…ルックアップテーブル
２０ｂ…計算式
２２…レジスタ
２４…液晶ディスプレイ（ＬＣＤ）
２６…リモコンインターフェース（Ｉ／Ｆ）
２８…リモコン
２８ａ…カーソルキー
【図１】
2008078747.tif 000003
【図２】
2008078747.tif 000004
【図３】
2008078747.tif 000005
【図４】
2008078747.tif 000006
【図５】
2008078747.tif 000007
【図６】
2008078747.tif 000008
【図７】
2008078747.tif 000009
【図８】
2008078747.tif 000010